【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
遊技機に対応して設けられる遊技用装置と、
複数の前記遊技用装置と通信可能であり、該遊技用装置で行われる各種処理に伴い該遊技用装置により更新される通番が少なくとも記録される記録媒体を個々に識別可能な記録媒体識別情報に対応付けて、通番及び遊技媒体の貸与に使用される残額を管理する管理装置と、を備え、
前記遊技用装置は、
前記管理装置と通信できる通信可能状態であるか通信できない通信不可能状態であるかを検知する通信可否検知手段を有し、
該通信可否検知手段により通信可能状態を検知しているときに貸与操作を受け付けたことに基づいて、前記記録媒体識別情報に対応付けて前記管理装置で管理されている残額である管理残額の範囲内で遊技媒体を貸与するための記録媒体貸与処理を行い、
前記通信可否検知手段による検知に関わらず前記記録媒体を排出する遊技用システムであって、
前記遊技用装置は、
前記記録媒体貸与処理の実行に伴って、前記記録媒体の通番を更新する第１の通番更新処理を行い、
前記記録媒体貸与処理の実行に伴って、前記記録媒体の記録媒体識別情報に対応する管理残額の減算要求を前記管理装置に対して送信する減算要求送信手段と、
前記通信可否検知手段により通信可能状態を検知しているときに貨幣を受け付けたことに基づいて、該受け付けた貨幣の金額である受付貨幣額と前記記録媒体の記録媒体識別情報とを含む入金要求を前記管理装置に対して送信する入金要求送信手段と、を有し、
前記管理装置は、
前記減算要求の受信に応じて、前記記録媒体の記録媒体識別情報に対応する管理残額を減算する減算処理と、該記録媒体識別情報に対応する通番を更新する第２の通番更新処理とを行う減算要求受信処理手段と、
前記入金要求の受信に応じて、該入金要求に含まれる受付貨幣額を入金予定額として、該入金要求に含まれる記録媒体識別情報に対応付けて記憶する処理と、該記録媒体識別情報に対応する管理残額と入金予定額との合算額を特定可能な残額通知を前記遊技用装置に対して送信する処理とを行う入金要求受信処理手段と、を有し、
前記遊技用装置は、前記残額通知の受信に応じて、該残額通知に基づいて特定される合算額の範囲内で遊技媒体の貸与を可能とするための貸与可能処理と、前記記録媒体の通番を更新する第３の通番更新処理と、該第３の通番更新処理を行った旨を示す通番更新通知を前記管理装置に対して送信する通番更新通知送信処理とを行う残額通知受信処理手段をさらに有し、
前記管理装置は、前記通番更新通知の受信に応じて、前記記録媒体識別情報に対応する管理残額に対して該記録媒体識別情報に対応する入金予定額を加算する入金予定額加算処理と、該入金予定額を加算済であることを特定可能な状態に更新する入金予定額加算済更新処理と、該記録媒体識別情報に対応する通番を更新する第４の通番更新処理とを行う通番更新通知受信処理手段をさらに有し、
前記遊技用装置は、前記記録媒体を受け付けたことに基づいて、該受け付けた記録媒体に記録されている記録媒体識別情報と通番とを少なくとも含む記録媒体受付情報を前記管理装置に対して送信する記録媒体受付情報送信手段をさらに有し、
前記管理装置は、
前記記録媒体受付情報の受信に応じて、該記録媒体受付情報に含まれる通番が、前記記録媒体の記録媒体識別情報に対応する通番と一致するか否かを判定する通番判定手段をさらに有し、
該通番判定手段により通番が一致すると判定され、かつ前記入金予定額について入金予定額加算済更新処理が行われていないことを条件として、前記入金予定額加算処理を行うことなく、前記入金予定額加算済更新処理を行う通番一致時処理を行い、
前記通番判定手段により通番が一致しないと判定され、かつ前記入金予定額について入金予定額加算済更新処理が行われていないことを条件として、前記入金予定額加算処理と、前記入金予定額加算済更新処理と、前記第４の通番更新処理とを行う通番不一致時処理を行い、
前記通番判定手段により通番が一致しないと判定され、かつ前記入金予定額について入金予定額加算済更新処理が行われていることを条件として、前記減算処理と、前記第２の通番更新処理とを行う通番不一致時処理を行うことを特徴とする遊技用システム。
【請求項２】
遊技機に対応して設けられる遊技用装置と、
複数の前記遊技用装置と通信可能であり、該遊技用装置で行われる各種処理に伴い該遊技用装置により更新される通番が少なくとも記録される記録媒体を個々に識別可能な記録媒体識別情報に対応付けて、通番及び遊技媒体の貸与に使用される残額を管理する管理装置と、を備え、
前記遊技用装置は、
前記管理装置と通信できる通信可能状態であるか通信できない通信不可能状態であるかを検知する通信可否検知手段を有し、
該通信可否検知手段により通信可能状態を検知しているときに貸与操作を受け付けたことに基づいて、前記記録媒体識別情報に対応付けて前記管理装置で管理されている残額である管理残額の範囲内で遊技媒体を貸与するための記録媒体貸与処理を行い、
前記通信可否検知手段による検知に関わらず前記記録媒体を排出する遊技用システムであって、
前記遊技用装置は、
前記記録媒体貸与処理の実行に伴って、前記記録媒体の通番を更新する第１の通番更新処理を行い、
前記記録媒体貸与処理の実行に伴って、前記記録媒体の記録媒体識別情報に対応する管理残額の減算要求を前記管理装置に対して送信する減算要求送信手段と、
前記通信可否検知手段により通信可能状態を検知しているときに貨幣を受け付けたことに基づいて、該受け付けた貨幣の金額である受付貨幣額と前記記録媒体の記録媒体識別情報とを含む入金要求を前記管理装置に対して送信する入金要求送信手段と、を有し、
前記管理装置は、
前記減算要求の受信に応じて、前記記録媒体の記録媒体識別情報に対応する管理残額を減算する減算処理と、該記録媒体識別情報に対応する通番を更新する第２の通番処理とを行う減算要求受信処理手段と、
前記入金要求の受信に応じて、該入金要求に含まれる受付貨幣額を、該入金要求に含まれる記録媒体識別情報に対応する管理残額に対して加算する処理と、該受付貨幣額を加算済受付貨幣額として、該記録媒体識別情報に対応付けて記憶する処理と、該記録媒体識別情報に対応する管理残額を含む残額通知を前記遊技用装置に対して送信する残額通知送信処理とを行う入金要求受信処理手段と、を有し、
前記遊技用装置は、前記残額通知の受信に応じて、該残額通知に含まれる管理残額の範囲内で遊技媒体の貸与を可能とするための貸与可能処理と、前記記録媒体の通番を更新する第３の通番更新処理と、該第３の通番更新処理を行った旨を示す通番更新通知を前記管理装置に対して送信する通番更新通知送信処理とを行う残額通知受信処理手段をさらに有し、
前記管理装置は、前記通番更新通知の受信に応じて、前記記録媒体識別情報に対応付けて記憶している加算済受付貨幣額を処理済であることを特定可能な状態に更新する受付貨幣額処理済更新処理と、該記録媒体識別情報に対応する通番を更新する第４の通番更新処理とを行う通番更新通知受信処理手段をさらに有し、
前記遊技用装置は、前記記録媒体を受け付けたことに基づいて、該受け付けた記録媒体に記録されている記録媒体識別情報と通番とを少なくとも含む記録媒体受付情報を前記管理装置に対して送信する記録媒体受付情報送信手段をさらに有し、
前記管理装置は、
前記記録媒体受付情報の受信に応じて、該記録媒体受付情報に含まれる通番が、前記記録媒体の記録媒体識別情報に対応する通番と一致するか否かを判定する通番判定手段をさらに有し、
該通番判定手段により通番が一致すると判定され、かつ加算済受付貨幣額について受付貨幣額処理済更新処理が行われていないことを条件として、前記管理残額から該加算済受付貨幣額を減算する加算済受付貨幣額減算処理と、前記受付貨幣額処理済更新処理とを行う通番一致時処理を行い、
前記通番判定手段により通番が一致しないと判定され、かつ前記加算済受付貨幣額について受付貨幣額処理済更新処理が行われていないことを条件として、前記受付貨幣額処理済更新処理と、前記第４の通番更新処理と、を行う通番不一致時処理を行い、
前記通番判定手段により通番が一致しないと判定され、かつ前記加算済受付貨幣額について受付貨幣額処理済更新処理が行われていることを条件として、前記減算処理と、前記第２の通番更新処理とを行う通番不一致時処理を行うことを特徴とする遊技用システム。
【請求項３】
請求項１又は２に記載した遊技用システムであって、
前記遊技用装置は、前記記録媒体の通番が上限値に達しているときに、該記録媒体の通番を初期値に更新し、
前記管理装置は、前記管理している通番が上限値に達しているときに、該管理している通番を初期値に更新することを特徴とする遊技用システム。
【手続補正２】
【補正対象書類名】明細書
【補正対象項目名】００１０
【補正方法】変更
【補正の内容】
【００１０】
まず請求項１に係る発明は、遊技機（パチンコ機１０）に対応して設けられる遊技用装置（玉貸ユニット２０）と、複数の前記遊技用装置と通信可能であり、該遊技用装置で行われる各種処理に伴い該遊技用装置により更新される通番が少なくとも記録される記録媒体（会員カード４，ビジタコイン５）を個々に識別可能な記録媒体識別情報（記録媒体ＩＤ）に対応付けて、通番及び遊技媒体（パチンコ玉）の貸与に使用される残額を（残額管理ＤＢで）管理する管理装置（５０）と、を備え、前記遊技用装置は、前記管理装置と通信できる通信可能状態（オンライン状態）であるか通信できない通信不可能状態（オフライン状態）であるかを検知する通信可否検知手段（制御部２１）を有し、該通信可否検知手段により通信可能状態を検知しているときに貸与操作を受け付けたことに基づいて、前記記録媒体識別情報に対応付けて前記管理装置で管理されている残額である管理残額の範囲内で遊技媒体を貸与するための記録媒体貸与処理を行い、前記通信可否検知手段による検知に関わらず前記記録媒体を排出する遊技用システム（１）であって、前記遊技用装置は、前記記録媒体貸与処理の実行に伴って、前記記録媒体の通番を更新する第１の通番更新処理を行い、前記記録媒体貸与処理の実行に伴って、前記記録媒体の記録媒体識別情報に対応する管理残額の減算要求を前記管理装置に対して送信する減算要求送信手段（制御部２１及び外部通信部２１ｂ）と、前記通信可否検知手段により通信可能状態を検知しているときに貨幣を受け付けたことに基づいて、該受け付けた貨幣の金額である受付貨幣額と前記記録媒体の記録媒体識別情報とを含む入金要求を前記管理装置に対して送信する入金要求送信手段（制御部２１及び外部通信部２１ｂ）と、を有し、前記管理装置は、前記減算要求の受信に応じて、前記記録媒体の記録媒体識別情報に対応する管理残額を減算する減算処理と、該記録媒体識別情報に対応する通番を更新する第２の通番更新処理とを行う減算要求受信処理手段（制御部５２）と、前記入金要求の受信に応じて、該入金要求に含まれる受付貨幣額を入金予定額として、該入金要求に含まれる記録媒体識別情報に対応付けて記憶する処理と、該記録媒体識別情報に対応する管理残額と入金予定額との合算額を特定可能な残額通知を前記遊技用装置に対して送信する処理とを行う入金要求受信処理手段（制御部５２及び通信部５１）と、を有し、前記遊技用装置は、前記残額通知の受信に応じて、該残額通知に基づいて特定される合算額の範囲内で遊技媒体の貸与を可能とするための貸与可能処理（受付貨幣の取込）と、前記記録媒体の通番を更新する第３の通番更新処理と、該第３の通番更新処理を行った旨を示す通番更新通知（貨幣取込通知）を前記管理装置に対して送信する通番更新通知送信処理とを行う残額通知受信処理手段（制御部２１及び外部通信部２１ｂ）をさらに有し、前記管理装置は、前記通番更新通知の受信に応じて、前記記録媒体識別情報に対応する管理残額に対して該記録媒体識別情報に対応する入金予定額を加算する入金予定額加算処理と、該入金予定額を加算済であることを特定可能な状態に更新する入金予定額加算済更新処理と、該記録媒体識別情報に対応する通番を更新する第４の通番更新処理とを行う通番更新通知受信処理手段（制御部５２）をさらに有し、前記遊技用装置は、前記記録媒体を受け付けたことに基づいて、該受け付けた記録媒体に記録されている記録媒体識別情報と通番とを少なくとも含む記録媒体受付情報（挿入通知）を前記管理装置に対して送信する記録媒体受付情報送信手段（制御部２１及び外部通信部２１ｂ）をさらに有し、前記管理装置は、前記記録媒体受付情報の受信に応じて、該記録媒体受付情報に含まれる通番が、前記記録媒体の記録媒体識別情報に対応する通番と一致するか否かを判定する通番判定手段（制御部５２）をさらに有し、該通番判定手段により通番が一致すると判定され、かつ前記入金予定額について入金予定額加算済更新処理が行われていないことを条件として、前記入金予定額加算処理を行うことなく、前記入金予定額加算済更新処理を行う通番一致時処理を行い、前記通番判定手段により通番が一致しないと判定され、かつ前記入金予定額について入金予定額加算済更新処理が行われていないことを条件として、前記入金予定額加算処理と、前記入金予定額加算済更新処理と、前記第４の通番更新処理とを行う通番不一致時処理を行い、前記通番判定手段により通番が一致しないと判定され、かつ前記入金予定額について入金予定額加算済更新処理が行われていることを条件として、前記減算処理と、前記第２の通番更新処理とを行う通番不一致時処理を行うことを特徴とする遊技用システムである。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また請求項２に係る発明は、遊技機（パチンコ機１０）に対応して設けられる遊技用装置（玉貸ユニット２０）と、複数の前記遊技用装置と通信可能であり、該遊技用装置で行われる各種処理に伴い該遊技用装置により更新される通番が少なくとも記録される記録媒体（会員カード４，ビジタコイン５）を個々に識別可能な記録媒体識別情報（記録媒体ＩＤ）に対応付けて、通番及び遊技媒体（パチンコ玉）の貸与に使用される残額を（残額管理ＤＢで）管理する管理装置（５０）と、を備え、前記遊技用装置は、前記管理装置と通信できる通信可能状態（オンライン状態）であるか通信できない通信不可能状態（オフライン状態）であるかを検知する通信可否検知手段（制御部２１）を有し、該通信可否検知手段により通信可能状態を検知しているときに貸与操作を受け付けたことに基づいて、前記記録媒体識別情報に対応付けて前記管理装置で管理されている残額である管理残額の範囲内で遊技媒体を貸与するための記録媒体貸与処理を行い、前記通信可否検知手段による検知に関わらず前記記録媒体を排出する遊技用システム（１）であって、前記遊技用装置は、前記記録媒体貸与処理の実行に伴って、前記記録媒体の通番を更新する第１の通番更新処理を行い、前記記録媒体貸与処理の実行に伴って、前記記録媒体の記録媒体識別情報に対応する管理残額の減算要求を前記管理装置に対して送信する減算要求送信手段（制御部２１及び外部通信部２１ｂ）と、前記通信可否検知手段により通信可能状態を検知しているときに貨幣を受け付けたことに基づいて、該受け付けた貨幣の金額である受付貨幣額と前記記録媒体の記録媒体識別情報とを含む入金要求を前記管理装置に対して送信する入金要求送信手段（制御部２１及び外部通信部２１ｂ）と、を有し、前記管理装置は、前記減算要求の受信に応じて、前記記録媒体の記録媒体識別情報に対応する管理残額を減算する減算処理と、該記録媒体識別情報に対応する通番を更新する第２の通番処理とを行う減算要求受信処理手段（制御部５２）と、前記入金要求の受信に応じて、該入金要求に含まれる受付貨幣額を、該入金要求に含まれる記録媒体識別情報に対応する管理残額に対して加算する処理と、該受付貨幣額を加算済受付貨幣額として、該記録媒体識別情報に対応付けて記憶する処理と、該記録媒体識別情報に対応する管理残額を含む残額通知を前記遊技用装置に対して送信する残額通知送信処理とを行う入金要求受信処理手段（制御部５２及び通信部５１）と、を有し、前記遊技用装置は、前記残額通知の受信に応じて、該残額通知に含まれる管理残額の範囲内で遊技媒体の貸与を可能とするための貸与可能処理（受付貨幣の取込）と、前記記録媒体の通番を更新する第３の通番更新処理と、該第３の通番更新処理を行った旨を示す通番更新通知（貨幣取込通知）を前記管理装置に対して送信する通番更新通知送信処理とを行う残額通知受信処理手段（制御部２１及び外部通信部２１ｂ）をさらに有し、前記管理装置は、前記通番更新通知の受信に応じて、前記記録媒体識別情報に対応付けて記憶している加算済受付貨幣額を処理済であることを特定可能な状態に更新する受付貨幣額処理済更新処理と、該記録媒体識別情報に対応する通番を更新する第４の通番更新処理とを行う通番更新通知受信処理手段（制御部５２）をさらに有し、前記遊技用装置は、前記記録媒体を受け付けたことに基づいて、該受け付けた記録媒体に記録されている記録媒体識別情報と通番とを少なくとも含む記録媒体受付情報（挿入通知）を前記管理装置に対して送信する記録媒体受付情報送信手段（制御部２１及び外部通信部２１ｂ）をさらに有し、前記管理装置は、前記記録媒体受付情報の受信に応じて、該記録媒体受付情報に含まれる通番が、前記記録媒体の記録媒体識別情報に対応する通番と一致するか否かを判定する通番判定手段（制御部５２）をさらに有し、該通番判定手段により通番が一致すると判定され、かつ加算済受付貨幣額について受付貨幣額処理済更新処理が行われていないことを条件として、前記管理残額から該加算済受付貨幣額を減算する加算済受付貨幣額減算処理と、前記受付貨幣額処理済更新処理とを行う通番一致時処理を行い、前記通番判定手段により通番が一致しないと判定され、かつ前記加算済受付貨幣額について受付貨幣額処理済更新処理が行われていないことを条件として、前記受付貨幣額処理済更新処理と、前記第４の通番更新処理と、を行う通番不一致時処理を行い、前記通番判定手段により通番が一致しないと判定され、かつ前記加算済受付貨幣額について受付貨幣額処理済更新処理が行われていることを条件として、前記減算処理と、前記第２の通番更新処理とを行う通番不一致時処理を行うことを特徴とする遊技用システムである。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
さらに請求項３に係る発明は、請求項１又は２に記載した遊技用システム（１）であって、前記遊技用装置（玉貸ユニット２０）は、前記記録媒体（会員カード４，ビジタコイン５）の通番が上限値に達しているときに、該記録媒体の通番を初期値に更新し、前記管理装置（５０）は、前記管理している通番が上限値に達しているときに、該管理している通番を初期値に更新することを特徴とする遊技用システムである。
【手続補正１０】
【補正対象書類名】明細書
【補正対象項目名】００１８
【補正方法】削除
【補正の内容】
【手続補正１１】
【補正対象書類名】明細書
【補正対象項目名】００２０
【補正方法】変更
【補正の内容】
【００２０】
まず請求項１に係る遊技用システムによれば、遊技用装置での処理に伴って更新される通番が記録媒体に記録されるので、オフライン状態が発生した遊技用装置がオンライン状態に復帰するのを待つことなく、該遊技用装置から排出された記録媒体が他のオンライン状態の遊技用装置において受け付けられることで、該記録媒体に記録されている通番と該記録媒体の記録媒体識別情報に対応付けて管理装置で管理されている通番から、オフライン状態の発生により遊技用装置で処理が行われたにもかかわらず当該処理に対応する処理が管理装置で行われていないことを特定して、対処することができる。即ち管理装置において、通番が一致すると判定され、かつ入金予定額について入金予定額加算済更新処理が行われていないことを条件として、入金予定額加算処理を行うことなく、入金予定額加算済更新処理を行うので、管理装置が入金要求を受信してから遊技用装置が残額通知を受信する前にオフライン状態となった場合にも、正確な残額を確定することができる。また管理装置において、通番が一致しないと判定され、かつ入金予定額について入金予定額加算済更新処理が行われていないことを条件として、入金予定額加算処理と入金予定額加算済更新処理と第４の通番更新処理とを行うので、遊技用装置が残額通知を受信してから管理装置が通番更新通知を受信する前にオフライン状態となった場合にも、正確な残額を確定することができる。さらに管理装置において、通番が一致しないと判定され、かつ入金予定額について入金予定額加算済更新処理が行われていることを条件として、減算処理と第２の通番更新処理とを行うので、管理装置が減算要求を受信する前にオフライン状態となった場合にも、正確な残額を確定することができる。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
また請求項２に係る遊技用システムによれば、遊技用装置での処理に伴って更新される通番が記録媒体に記録されるので、オフライン状態が発生した遊技用装置がオンライン状態に復帰するのを待つことなく、該遊技用装置から排出された記録媒体が他のオンライン状態の遊技用装置において受け付けられることで、該記録媒体に記録されている通番と該記録媒体の記録媒体識別情報に対応付けて管理装置で管理されている通番から、オフライン状態の発生により遊技用装置で処理が行われたにもかかわらず当該処理に対応する処理が管理装置で行われていないことを特定して、対処することができる。即ち管理装置において、通番が一致すると判定され、かつ加算済受付貨幣額について受付貨幣額処理済更新処理が行われていないことを条件として、管理残額から該加算済受付貨幣額を減算する加算済受付貨幣額減算処理と、受付貨幣額処理済更新処理とを行うので、管理装置が入金要求を受信してから遊技用装置が残額通知を受信する前にオフライン状態となった場合にも、正確な残額を確定することができる。また管理装置において、通番が一致しないと判定され、かつ加算済受付貨幣額について受付貨幣額処理済更新処理が行われていないことを条件として、受付貨幣額処理済更新処理と第４の通番更新処理とを行うので、遊技用装置が残額通知を受信してから管理装置が通番更新通知を受信する前にオフライン状態となった場合にも、正確な残額を確定することができる。さらに管理装置において、通番が一致しないと判定され、かつ加算済受付貨幣額について受付貨幣額処理済更新処理が行われていることを条件として、減算処理と第２の通番更新処理とを行うので、管理装置が減算要求を受信する前にオフライン状態となった場合にも、正確な残額を確定することができる。
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】変更
【補正の内容】
【００２７】
さらに請求項３に係る遊技用システムによれば、遊技用装置は記録媒体の通番が上限値に達しているときに初期値に更新し、管理装置は管理している通番が上限値に達しているときに初期値に更新するので、通番を記憶する領域を極力少なくすると共に、通番が上限値に達した後でも継続して記録媒体を使用することができ、記録媒体のコストを低減させることができる。
【手続補正１９】
【補正対象書類名】明細書
【補正対象項目名】００２８
【補正方法】削除
【補正の内容】